Podtech/llm-jp-corpus-v4-ja_patent huggingface dataset:
【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】   車室内から見える道路を模擬した道路景観を表示手段に表示する機能を有するナビゲーション装置において、
道路を多角形で分割し、該多角形の頂点の三次元座標を示す道路データが記憶された記憶手段と、
前記記憶手段に記憶された道路データと所定位置を示す位置データとに基づき演算処理を行って、前記各多角形の前記表示手段への表示形態であるポリゴン画像を算出するポリゴン形成手段と、
前記各ポリゴン画像を前記表示手段に表示することにより前記表示手段に道路景観画像を表示する道路景観画像形成手段と、
前記多角形と前記所定位置との距離に応じて、対応する前記ポリゴン画像の表示色を制御する表示色制御手段とを有することを特徴とするナビゲーション装置。
【請求項２】   前記所定位置は、車両の乗員が道路を見る位置に対応する位置であることを特徴とする請求項１記載のナビゲーション装置。
【請求項３】   前記多角形と前記所定位置との距離は、直線距離であることを特徴とする請求項１または請求項２記載のナビゲーション装置。
【請求項４】   前記多角形と前記所定位置との距離は、車両の走行距離であることを特徴とする請求項１または請求項２記載のナビゲーション装置。
【請求項５】   前記表示色制御手段は、前記多角形と前記所定位置との距離が長い程、濃色とすることを特徴とする請求項１〜請求項４記載のナビゲーション装置。
【請求項６】   車室内から見える道路を模擬した道路景観を表示手段に表示する機能を有するナビゲーション装置において、
前記表示手段における車両位置に対応する位置を中心とする複数の楕円で分割される分割領域を形成する表示領域形成手段と、
前記表示手段に表示する道路を、前記分割領域毎に異なる色であって、前記楕円の中心から離れる程濃色で表示する領域表示色制御手段とを有することを特徴とするナビゲーション装置。
【請求項７】  道路景観を表示手段に表示する機能を有するナビゲーション装置において、
道路データを記憶する記憶手段と、
前記記憶手段に記憶された道路データと所定位置を示す位置データとに基づき、道路景観をグラデーション処理する表示制御手段とを有することを特徴とするナビゲーション装置。
【請求項８】  前記道路データには高さ情報が含まれ、前記表示制御手段は、高さ情報に基づき道路景観をグラデーション処理することを特徴とする請求項７に記載のナビゲーション装置。
【手続補正２】
【補正対象書類名】明細書
【補正対象項目名】０００８
【補正方法】変更
【補正の内容】
【０００８】
また、前記所定位置は、車両の乗員が道路を見る位置に対応する位置であることを
特徴とするものである。
また、前記多角形と前記所定位置との距離は、直線距離であることを特徴とするもの
である。
また、前記多角形と前記所定位置との距離は、車両の走行距離であることを特徴とす
るものである。
【手続補正３】
【補正対象書類名】明細書
【補正対象項目名】０００９
【補正方法】変更
【補正の内容】
【０００９】
また、前記表示色制御手段は、前記多角形と前記所定位置との距離が長い程、濃色
とすることを特徴とするものである。
【手続補正４】
【補正対象書類名】明細書
【補正対象項目名】００１０
【補正方法】変更
【補正の内容】
【００１０】
また、車室内から見える道路を模擬した道路景観を表示手段に表示する機能を有するナビゲーション装置において、前記表示手段における車両位置に対応する位置を中心とする複数の楕円で分割される分割領域を形成する表示領域形成手段と、前記表示手段に表示する道路を、前記分割領域毎に異なる色であって、前記楕円の中心から離れる程濃色で表示する領域表示色制御手段とを有することを特徴とするものである。
【手続補正５】
【補正対象書類名】明細書
【補正対象項目名】００１１
【補正方法】変更
【補正の内容】
【００１１】
また、車室内から見える道路を模擬した道路景観を表示手段に表示する機能を有するナビゲーション装置において、前記表示手段における車両位置に対応する位置を中心とする複数の楕円で分割される分割領域を形成する表示領域形成手段と、前記表示手段に表示する道路を、前記分割領域毎に異なる色であって、前記楕円の中心から離れる程濃色で表示する領域表示色制御手段とを有することを特徴とするものである。
【手続補正６】
【補正対象書類名】明細書
【補正対象項目名】００１２
【補正方法】変更
【補正の内容】
【００１２】
前記道路データには高さ情報が含まれ、前記表示制御手段は、高さ情報に基づき道路景観をグラデーション処理することを特徴とするものである。
【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
発音すべき音高とその発音タイミングとを表す曲データを再生して、鍵盤の各鍵に対応して配設される発光手段の内、押鍵すべき鍵に対応する発光手段を点灯させて押鍵案内する案内手段を備える演奏案内装置において、
前記鍵盤を複数の鍵域に分けて、前記案内手段で押鍵案内されている鍵が含まれる鍵域を検出する押鍵案内鍵域検出手段と、
演奏形態を表すパラメータを前記曲データに対応させて記憶するパラメータ記憶手段と、
このパラメータ記憶手段に記憶されているパラメータを前記曲データの再生に同期して読み出し、この読み出したパラメータを前記押鍵案内鍵域検出手段で検出された鍵域とは異なる鍵域にて表示させる演奏形態表示手段と
を具備することを特徴とする演奏案内装置。
【請求項２】
前記演奏形態表示手段は、前記押鍵案内鍵域検出手段で検出された鍵域から常に所定音程分離れた鍵域にて、前記読み出したパラメータを表示させることを特徴とする請求項１記載の演奏案内装置。
【請求項３】
発音すべき音高とその発音タイミングとを表す曲データを再生して、鍵盤の各鍵に対応して配設される発光手段の内、押鍵すべき鍵に対応する発光手段を点灯させて押鍵案内する演奏案内方法において、
前記鍵盤を複数の鍵域に分けて、前記押鍵案内されている鍵が含まれる鍵域を検出し、演奏形態を表すパラメータを前記曲データに対応させて記憶しているパラメータ記憶手段から前記曲データの再生に同期してパラメータを読み出し、この読み出したパラメータを前記検出された鍵域とは異なる鍵域にて表示させることを特徴とする演奏案内方法。
【手続補正２】
【補正対象書類名】明細書
【補正対象項目名】０００４
【補正方法】変更
【補正の内容】
【０００４】
【課題を解決するための手段】
上記目的を達成するため、請求項１に記載の発明では、発音すべき音高とその発音タイミングとを表す曲データを再生して、鍵盤の各鍵に対応して配設される発光手段の内、押鍵すべき鍵に対応する発光手段を点灯させて押鍵案内する案内手段を備える演奏案内装置において、前記鍵盤を複数の鍵域に分けて、前記案内手段で押鍵案内されている鍵が含まれる鍵域を検出する押鍵案内鍵域検出手段と、演奏形態を表すパラメータを前記曲データに対応させて記憶するパラメータ記憶手段と、このパラメータ記憶手段に記憶されているパラメータを前記曲データの再生に同期して読み出し、この読み出したパラメータを前記押鍵案内鍵域検出手段で検出された鍵域とは異なる鍵域にて表示させる演奏形態表示手段とを具備することを特徴とする。


【手続補正３】
【補正対象書類名】明細書
【補正対象項目名】０００５
【補正方法】変更
【補正の内容】
【０００５】
上記請求項１に従属する請求項２に記載の発明では、前記演奏形態表示手段は、前記押鍵案内鍵域検出手段で検出された鍵域から常に所定音程分離れた鍵域にて、前記読み出したパラメータを表示させることを特徴とする。


【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
請求項３に記載の演奏案内方法では、発音すべき音高とその発音タイミングとを表す曲データを再生して、鍵盤の各鍵に対応して配設される発光手段の内、押鍵すべき鍵に対応する発光手段を点灯させて押鍵案内する演奏案内方法において、前記鍵盤を複数の鍵域に分けて、前記押鍵案内されている鍵が含まれる鍵域を検出し、演奏形態を表すパラメータを前記曲データに対応させて記憶しているパラメータ記憶手段から前記曲データの再生に同期してパラメータを読み出し、この読み出したパラメータを前記検出された鍵域とは異なる鍵域にて表示させることを特徴とする。


【手続補正６】
【補正対象書類名】明細書
【補正対象項目名】０００８
【補正方法】変更
【補正の内容】
【０００８】
本発明では、発音すべき音高とその発音タイミングとを表す曲データを再生して、鍵盤の各鍵に対応して配設される発光手段の内、押鍵すべき鍵に対応する発光手段を点灯させて押鍵案内する案内手段を備える演奏案内装置において、演奏形態を表すパラメータを前記曲データに対応させて記憶しておき、このパラメータを前記曲データの再生に同期して読み出し、この読み出したパラメータを前記案内手段にて押鍵案内されている鍵域とは異なる鍵域にて案内表示させるので、鍵盤上で押鍵案内と同時に演奏形態が案内される結果、鍵盤から視線を外すことなく、各種パラメータに応じた演奏形態を感覚的に案内することが可能になる。


【手続補正７】
【補正対象書類名】明細書
【補正対象項目名】００４４
【補正方法】変更
【補正の内容】
【００４４】
【発明の効果】
請求項１及び２に記載の発明によれば、パラメータ記憶手段に記憶されているパラメータを曲データの再生に同期して読み出し、この読み出したパラメータを、曲データに基づき押鍵案内されている鍵域とは異なる鍵域にて表示させるので、鍵盤上で押鍵案内と同時に演奏形態が案内される結果、鍵盤から視線を外すことなく、各種パラメータに応じた演奏形態を感覚的に案内することができる。
請求項３に記載の発明によれば、パラメータは、押鍵案内されている鍵域から常に所定音程分離れた鍵域にて表示させるので、押鍵案内とパラメータとが一定の視界中にて混在することなく表示されて、より良好に演奏形態を案内することができる。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
式（I）：
【化１】
2001097975.tif 000001
〔式中、Ｒ1及びＲ2は、互いに独立に、Ｃ1−Ｃ25アルキル、−ＣＲ3Ｒ4−（ＣＨ2）m−Ａｒ3（ここで、Ｒ3及びＲ4は、互いに独立に、水素若しくはＣ1−Ｃ4アルキルを意味する）、又はフェニル（これは、Ｃ1−Ｃ3アルキルで１〜３回置換されていることができる）を意味し、
Ａｒ3は、フェニル、又は１−若しくは２−ナフチル（これは、Ｃ1−Ｃ8アルキル、Ｃ1−Ｃ8アルコキシ、ハロゲン若しくはフェニル（これは、Ｃ1−Ｃ8アルキル、Ｃ1−Ｃ8アルコキシで１〜３回置換されていることができる）で１〜３回置換されていることができる）を意味し、ｍは、０、１、２、３又は４を意味し、ここで、Ｃ1−Ｃ25アルキル又は−ＣＲ3Ｒ4−（ＣＨ2）m−Ａｒ3、好ましくはＣ1−Ｃ25アルキルは、水への溶解度を高めることができる官能基、例えば第三級アミノ基、−ＳＯ3-又はＰＯ42-で置換されており、
Ａｒ1及びＡｒ2は、互いに独立に、下記式：
【化２】
2001097975.tif 000002
を意味するが、
上記式中、Ｒ5は、Ｃ1−Ｃ6アルキル、−ＮＲ8Ｒ9、−ＯＲ10、−Ｓ（Ｏ）nＲ8、−Ｓｅ（Ｏ）nＲ8、又はフェニル（これは、Ｃ1−Ｃ8アルキル若しくはＣ1−Ｃ8アルコキシで１〜３回置換されていることができる）を意味し、
ここで、Ｒ8及びＲ9は、互いに独立に、水素、Ｃ1−Ｃ25アルキル、Ｃ5−Ｃ12シクロアルキル、−ＣＲ3Ｒ4−（ＣＨ2）m−Ｐｈ、Ｒ10（ここで、Ｒ10は、Ｃ6−Ｃ24アリールを意味する）、又は５〜７個の環原子を含む飽和若しくは不飽和複素環基（ここで、環は、炭素原子と、窒素、酸素及び硫黄からなる群から選ばれる１〜３個のヘテロ原子とからなる）を意味し、ここで、Ｐｈ、アリール及び複素環基は、Ｃ1−Ｃ8アルキル、Ｃ1−Ｃ8アルコキシ若しくはハロゲンで１〜３回置換されていることができるか、あるいはＲ8及びＲ9は、−Ｃ（Ｏ）Ｒ11（ここで、Ｒ11は、Ｃ1−Ｃ25アルキル、Ｃ5−Ｃ12シクロアルキル、Ｒ10、−ＯＲ12若しくは−ＮＲ13Ｒ14（ここで、Ｒ12、Ｒ13及びＲ14は、Ｃ1−Ｃ25アルキル、Ｃ5−Ｃ12シクロアルキル、Ｃ6−Ｃ24アリールを意味する）を意味する）か、又は
５〜７個の環原子を含む飽和若しくは不飽和複素環基（ここで環は、炭素原子と、窒素、酸素及び硫黄からなる群から選ばれる１〜３個のヘテロ原子とからなる）を意味し、ここで、該アリール及び複素環基は、Ｃ1−Ｃ8アルキル若しくはＣ1−Ｃ8アルコキシで１〜３回置換されていることができるか、又は−ＮＲ8Ｒ9は、Ｒ8及びＲ9が、一緒になって、テトラメチレン、ペンタメチレン、−ＣＨ2−ＣＨ2−Ｏ−ＣＨ2−ＣＨ2−若しくは−ＣＨ2−ＣＨ2−ＮＲ5−ＣＨ2−ＣＨ2−、好ましくは−ＣＨ2−ＣＨ2−Ｏ−ＣＨ2−ＣＨ2−を意味する５〜６員の複素環基を意味し、ｎは、０、１、２又は３を意味し、そして、ここで、
Ｒ6及びＲ7は、互いに独立に、水素又はＲ5を意味するが、同時には水素を意味せず、好ましくは、Ｒ6は、Ｒ5を意味し、Ｒ7は、水素を意味する〕
で示される蛍光ジケトピロロピロール類（「ＤＰＰ類」）。
【請求項２】
式（I）：
【化１６】
2001097975.tif 000003
〔式中、Ａｒ1及びＡｒ2が、２−ナフチルであって；
Ｒ1及びＲ2が３−ジメチルベンジル、
Ｒ1及びＲ2がベンジル、
Ｒ1及びＲ2が２−メチルベンジル、
Ｒ1及びＲ2が２−フェニルベンジル、
Ｒ1及びＲ2が３−メチルベンジル、
Ｒ1及びＲ2が４−メチルベンジル、
Ｒ1及びＲ2が２−フェニルエチル、
Ｒ1及びＲ2が３−フェニルベンジル、
Ｒ1及びＲ2が３−メトキシベンジル、又は
Ｒ1及びＲ2が３−ジ−tert−ブトキシベンジルである〕
である、蛍光ジケトピロロピロール類。
【請求項３】
請求項１記載の化合物（I）を製造する方法であって、第一工程で、式（V）：
【化３】
2001097975.tif 000004
〔式中、Ａｒ1及びＡｒ2は、請求項１で定義されたとおりである〕
で示されるＤＰＰ誘導体を塩基で処理し、次いで、第二工程で、第一工程で得られた反応混合物を、通常のアルキル化剤で処理する方法であり、ここで、第一工程では、塩基が、水素化物、アルカリ金属アルコキシド又は炭酸塩であり、アルキル化剤が、スルホナート、トシラート、メシラート、カーボナート、スルファート、又は式（Ｒ1）1又は2Ｘ（ここで、Ｘは、ＳＯ3−、（ｐ−Ｍｅ−フェニル）ＳＯ2−、（２，４，６−トリメチルフェニル）ＳＯ2−、−ＣＯ3-、−ＳＯ4-若しくはハロゲンを意味する）、若しくは（Ｒ1）1又は2Ｘと（Ｒ2）1又は2Ｘとの混合物である方法。
【請求項４】
（ａ）着色された高分子量有機材料の総重量に基づいて、請求項１記載の蛍光ＤＤＰ（I）０．０１〜５０重量％、
（ｂ）着色された高分子量有機材料の総重量に基づいて、高分子有機材料９９．９９〜５０重量％、及び
（ｃ）望みであれば、慣用の添加物の有効量を含む組成物。
【手続補正書】
【提出日】平成17年10月26日(2005.10.26)
【手続補正１】
【補正対象書類名】明細書
【補正対象項目名】請求項４
【補正方法】変更
【補正の内容】
【請求項４】  成形基盤の表面及び／又は離型膜の成形面に、イオン注入したことを特徴とする請求項２又は３記載の精密プレス用成形型。
【手続補正２】
【補正対象書類名】明細書
【補正対象項目名】請求項１０
【補正方法】変更
【補正の内容】
【請求項１０】  軟化状態にあるガラスを一対の精密プレス用成形型でプレス成形し、該精密プレス用成形型の成形面を転写する精密プレスによるガラス成形品の製造方法において、
前記一対の精密プレス用成形型の少なくとも一方は、請求項１〜９の何れかに記載の精密プレス用成形型であることを特徴とするガラス成形品の製造方法。
【手続補正３】
【補正対象書類名】明細書
【補正対象項目名】請求項１１
【補正方法】変更
【補正の内容】
【請求項１１】  ガラスは酸化鉛又は酸化チタンを含有していることを特徴とする請求項１０記載のガラス成形品の製造方法。
【手続補正４】
【補正対象書類名】明細書
【補正対象項目名】請求項１２
【補正方法】変更
【補正の内容】
【請求項１２】  酸化金の融点以上の温度でプレス成形することを特徴とする請求項１０又は１１に記載のガラス成形品の製造方法。
【手続補正５】
【補正対象書類名】明細書
【補正対象項目名】請求項１３
【補正方法】変更
【補正の内容】
【請求項１３】  軟化状態にあるガラスの粘度は、１０6〜１０12ポアズであることを特徴とする請求項１０〜１２の何れかに記載のガラス成形品の製造方法。
【手続補正６】
【補正対象書類名】明細書
【補正対象項目名】０００４
【補正方法】変更
【補正の内容】
【０００４】
この離型膜の材料としては、カーボン、窒化チタン、Ｉｒ−Ｐｔ、Ｐｔ等、種々の材料が既に提案されている。
なかでも、Ｐｔ等の貴金属膜は酸化しないので、他の材料に比べて利点がある。この種の貴金属を離型膜を提案した公報として特開平７−１３８０３２号公報がある。この公報には成形基盤に形成する離型膜として、Ｐｔ等の貴金属にＡｕ等を含有させ、Ｐを離型膜に混入させた成形型が開示されている。
【手続補正７】
【補正対象書類名】明細書
【補正対象項目名】０００６
【補正方法】変更
【補正の内容】
【０００６】
又、Ｐ2Ｏ5―ＰｂＯ系ガラスを上述のＰｔの成形型でプレス成形すると、成形型の離型膜に金属等が付着し、離型膜表面の曇りが発生するという問題点があった。この付着物が付着した状態でプレス成形をすると、成形品の表面精度の劣化を招くという問題点になる。
【手続補正８】
【補正対象書類名】明細書
【補正対象項目名】００１３
【補正方法】変更
【補正の内容】
【００１３】
本発明の成形面は、成形面を軟化状態にあるガラスの表面に転写することにより、プレス後のプレス成形品の表面を研磨が不必要になるように、高い平滑性を有している。
本発明の金を主成分とした成形面は、種々のガラスとの反応性が極めて低い。金を主成分とするとは、ガラスとの反応性を低下する効果が得られるように含有するということである。
【手続補正９】
【補正対象書類名】明細書
【補正対象項目名】００１９
【補正方法】変更
【補正の内容】
【００１９】
本発明の第４発明は、成形基盤の表面及び／又は離型膜の成形面に、イオン注入したことを特徴とする第２又は第３発明に記載の精密プレス用成形型。成形基盤の表層部にイオン注入する場合、成形基盤の材料は、イオン注入することによって、セラミック等のアモルファス化する材料が好ましい。イオン注入の方法は、離型膜の表面からイオン注入し、離型膜と成形基盤の表層部にイオンを注入する方法、離型膜の表面から離型膜のみにイオン注入する方法、離型膜の形成前に、成形基盤の表面にイオン注入する方法がある。
【手続補正１０】
【補正対象書類名】明細書
【補正対象項目名】００２９
【補正方法】変更
【補正の内容】
【００２９】
本発明の精密プレスは、高精度の平滑性を有する成形面を備えた精密プレス用成形型によって軟化ガラスをプレス成形するもので、プレス後のガラス成形品の表面には研磨を必要としない。
精密プレスするときの雰囲気は、成形基盤の酸化を防止するため、窒素、Ａｒ、（窒素＋水素）等の不活性ガスが好ましい。
そして、本発明のガラスの製造方法によって形成する製品としては、光学レンズ等の光学製品、情報記録媒体用ガラス基板等の電子製品部品等が挙げられる。
【手続補正１１】
【補正対象書類名】明細書
【補正対象項目名】００３６
【補正方法】変更
【補正の内容】
【００３６】
本発明の第１４発明は、
軟化状態にあるガラスを所定形状に成形し、且つ成形面を前記ガラスに転写する精密プレス用成形型の製造方法において、
成形基盤の表面上に、金を主成分とする離型膜を形成する際、
離型膜の成形面及び／又は成形基盤の表面にイオンビームを照射することを特徴とする精密プレス用成形型の製造方法。
照射されたイオンは、その種類によって、離型膜に残存する場合と、残存しない場合があるが、何れの場合でも、離型膜の硬度を向上させることができる。又、照射されたイオンは、成形基盤に残存する場合と、残存しない場合があるが、何れの場合でも、離型膜の付着力を向上させることができる。
【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
ポリエステル系樹脂Ａ製のキャップ本体と、ポリエステル系樹脂Ｂ製のキャップ用パッキングとより構成される樹脂製キャップにおいて、ポリエステル系樹脂Ａの弾性率が７０００〜３００００kg／cm２、ポリエステル系樹脂Ｂの弾性率が１０００〜１５０００kg／cm２であり、かつ、ポリエステル系樹脂Ａの弾性率＞ポリエステル系樹脂Ｂの弾性率、なる関係を満たすことを特徴とする、樹脂製キャップ。
【請求項２】
ポリエステル系樹脂Ａが、テトラメチレンテレフタレート単位が７０モル％以上であるポリテトラメチレンテレフタレート系樹脂である、請求項１に記載の樹脂製キャップ。
【請求項３】
ポリエステル系樹脂Ｂが、ジカルボン酸成分においてテレフタル酸が７０モル％以上、グリコール成分においてテトラメチレングリコールとポリテトラメチレンオキシドグリコールの合計量が７０モル％であるポリテトラメチレンテレフタレート系樹脂である、請求項１または請求項２に記載の樹脂製キャップ。
【請求項４】
キャップ本体とキャップ用パッキンとが、一体化成形法で製造されたものである、請求項１ないし請求項３のいずれか一項に記載の樹脂製キャップ。
【請求項５】
請求項１ないし請求項４の樹脂製キャップを、ポリエステル系樹脂製ボトルの栓として使用したものであることを特徴とする、樹脂製キャップ付きポリエステル系樹脂製ボトル。
【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
特定の塩基配列を有する標的核酸の検出、及び定量の少なくとも一方を行う方法であって、
前記標的核酸と、該標的核酸にハイブリダイゼーション可能な所定の塩基配列を含むプローブ核酸のいずれかに蛍光標識がなされており、
前記標的核酸とプローブ核酸とを反応させ、両者のハイブリッド体を形成する工程；
前記ハイブリッド体の形成後、乾燥手段を用いて、前記蛍光標識を乾燥させる工程；  及び
乾燥状態となった前記蛍光標識に励起光を照射し、それが発する蛍光を検出する工程を有する
ことを特徴とする標的核酸の検出および定量の少なくとも一方を行う方法。
【請求項２】
ハイブリッド体を形成する前記プローブ核酸が固相表面上に固定されていることを特徴とする請求項１に記載の方法。
【請求項３】
ハイブリッド体を形成する前記標的核酸が固相表面上に固定されていることを特徴とする請求項１に記載の方法。
【請求項４】
ハイブリッド体に結合される前記蛍光標識が核酸二本鎖に特異的に結合する蛍光色素であることを特徴とする請求項１に記載の方法。
【請求項５】
ハイブリッド体に結合されている前記蛍光標識が、ハイブリッド体の核酸二本鎖のうち、いずれかの一本鎖核酸に共有結合により固定されていることを特徴とする請求項１に記載の方法。
【請求項６】
ハイブリッド体に結合されている前記蛍光標識が、乾燥することにより、溶液状態において発する蛍光強度と比較して、その蛍光強度が増大する特性を有することを特徴とする請求項１に記載の方法。
【請求項７】
蛍光標識が２−メチル−４，６−ビス−（４−Ｎ，Ｎ−ジメチルアミノフェニル）ピリリウム塩であることを特徴とする請求項６に記載の方法。
【請求項８】
一本鎖核酸に共有結合により固定される蛍光標識がローダミンであることを特徴とする請求項５に記載の方法。
【請求項９】
一本鎖核酸に共有結合により固定される蛍光標識が２−（２−カルボキシエチル）−４，６−ビス−（４−Ｎ，Ｎ−ジメチルアミノフェニル）ピリリウム塩であることを特徴とする請求項５に記載の方法。
【請求項１０】
一本鎖核酸に共有結合により固定される蛍光標識が２−（３−カルボキシプロピル）−４，６−ビス−（４−Ｎ，Ｎ−ジメチルアミノフェニル）ピリリウム塩であることを特徴とする請求項５に記載の方法。
【請求項１１】
前記乾燥手段は、加熱により該蛍光標識を乾燥させる手段であることを特徴とする請求項１に記載の方法。
【請求項１２】
前記乾燥手段は、乾燥ガスの吹き付けにより該蛍光標識を乾燥させる手段であることを特徴とする請求項１に記載の方法。
【請求項１３】
前記固相がガラス基板であることを特徴とする請求項２または３に記載の方法。
【請求項１４】
前記核酸分子の固相表面上への固定は、
前記ガラス基板と固定に係わる核酸とがそれぞれ官能基を有し、前記官能基同士は互いに化学反応により共有結合するものであり、
前記共有結合の形成によってなされることを特徴とする請求項１３に記載の方法。
【請求項１５】
ガラス基板表面上の官能基がマレイミド基であり、
前記ガラス基板表面上に固定される核酸の有する官能基がチオール基（−ＳＨ）であることを特徴とする請求項１４に記載の方法。
【請求項１６】
ガラス基板表面上の官能基がエポキシ基であり、
前記ガラス基板表面上に固定される核酸の有する官能基がアミノ基であることを特徴とする請求項１４に記載の方法。
【請求項１７】
前記標的核酸またはプローブ核酸のいずれかが固相表面上に固定されており、
その固相表面上への固定にあたって、
前記固相表面に、多種類の核酸が互いに独立したスポットとしてアレイ状に配列され、
前記アレイ状スポットの密度は、１平方インチあたり１０００個以上とされることを特徴とする請求項１記載の方法。
【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
レーザ光によって角膜を切除する角膜手術装置において、被検眼の屈折異常に基づいて角膜の切除量を演算し，かつ切除量を複数回のステップに分割し各ステップでの切除量を求める演算手段と、各切除量に基づいて各ステップでの装置の制御データを決める制御データ決定手段と、角膜形状測定用の指標を角膜上に結像する結像光学系，角膜に形成された指標像を撮像する撮像光学系，及び撮像された画像を処理して指標像を検知して角膜の形状を得る形状演算手段とを有する角膜形状測定手段と、該角膜形状測定手段を使ってあるステップのレーザ照射終了後に測定された角膜形状に基づいてそのステップでの実切除量と予定切除量を対比し，その対比に基づいて次のステップの制御データを補正する補正手段と、を備えることを特徴とする角膜手術装置。
【請求項２】
請求項１の角膜手術装置において、前記角膜形状測定用の指標はスリット光による指標であり、前記角膜形状測定手段は結像光学系を角膜に対して距離方向に所定ステップで移動させる手段と、各移動位置で角膜に形成されたスリット指標を前記撮像光学系により撮像する手段を備えることを特徴とする角膜手術装置。
【手続補正２】
【補正対象書類名】明細書
【補正対象項目名】０００７
【補正方法】変更
【補正の内容】
【０００７】
（１）  レーザ光によって角膜を切除する角膜手術装置において、被検眼の屈折異常に基づいて角膜の切除量を演算し，かつ切除量を複数回のステップに分割し各ステップでの切除量を求める演算手段と、各切除量に基づいて各ステップでの装置の制御データを決める制御データ決定手段と、角膜形状測定用の指標を角膜上に結像する結像光学系，角膜に形成された指標像を撮像する撮像光学系，及び撮像された画像を処理して指標像を検知して角膜の形状を得る形状演算手段とを有する角膜形状測定手段と、該角膜形状測定手段を使ってあるステップのレーザ照射終了後に測定された角膜形状に基づいてそのステップでの実切除量と予定切除量を対比し，その対比に基づいて次のステップの制御データを補正する補正手段と、を備えることを特徴とする。
（２）  （１）の角膜手術装置において、前記角膜形状測定用の指標はスリット光による指標であり、前記角膜形状測定手段は結像光学系を角膜に対して距離方向に所定ステップで移動させる手段と、各移動位置で角膜に形成されたスリット指標を前記撮像光学系により撮像する手段を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
所定サンプリング時間でサンプリングした一連の複数の基本脈波を２回微分し一連の複数の加速度脈波を求める加速度脈波検出手段と、
前記加速度脈波検出手段によって検出した加速度脈波から、前記複数の基本脈波の繰返し周期のばらつき程度を示すばらつき指標を算出する指標算出手段と、
前記ばらつき指標に前記繰返し周期のばらつきが加速度脈波加齢値に及ぼす影響度を補正する補正係数を予め対応させて形成した補正データと、
前記加速度脈波検出手段で求めた一連の複数の加速度脈波に対し前記指標算出手段で前記ばらつき指標を求め、求めた前記ばらつき指標に対応する前記補正係数を前記補正データから抽出する補正係数抽出手段と、
前記加速度脈波検出手段で求めた一連の複数の加速度脈波に対し仮の加速度脈波加齢値を算出するとともに前記仮の加速度脈波加齢値を前記補正データから抽出した前記補正係数で補正し加速度脈波加齢値を求める加速度脈波算出手段と、
を備えることを特徴とする脈波検出装置。
【請求項２】
前記ばらつき指標は第１のばらつき指標と第２のばらつき指標とから構成されており、
前記補正データの前記補正係数は前記第１のばらつき指標と前記第２のばらつき指標とを行列として特定され、
前記第１のばらつき指標は前記複数の基本脈波の繰返し周期の平均値である
ことを特徴とする請求項１に記載の脈波検出装置。
【請求項３】
前記第２のばらつき指標は、繰返し周期の標準偏差、平方和、分散、範囲、変動係数のいずれかである
ことを特徴とする請求項２に記載の脈波検出装置。
【請求項４】
前記加速度脈波検出手段で検出した前記一連の複数の加速度脈波の周波数分布を求める周波数分析手段をさらに備え、
前記ばらつき指標は、加速度脈波の周波数分布に係る量である
ことを特徴とする請求項１に記載の脈波検出装置。
【請求項５】
前記周波数分布に係る量は、加速度脈波の周波数分布における低周波帯域面積と高周波帯域面積との面積比である
ことを特徴とする請求項４に記載の脈波検出装置。
【請求項６】
前記周波数分布に係わる量は、加速度脈波の周波数分布における低周波帯域面積をＬＦ、中周波帯域面積をＭＦ、高周波帯域面積をＨＦとしたときに（２ＬＦ＋３ＭＦ＋ＨＦ）／６であることを特徴とする請求項４に記載の脈波検出装置。
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
人体の体脂肪分布を測定する方法において、腹部皮下脂肪厚を測定し、該測定された腹部皮下脂肪厚から腹部内臓脂肪面積を求めることを特徴とする方法。
【請求項２】
人体の体脂肪分布を測定する方法において、腹部皮下脂肪厚を測定し、該測定された腹部皮下脂肪厚から腹部総脂肪面積を求めることを特徴とする方法。
【請求項３】
人体の体脂肪分布を測定する方法において、腹部皮下脂肪厚を測定し、該測定された腹部皮下脂肪厚から腹部内臓脂肪面積と腹部皮下脂肪面積とを求めることを特徴とする方法。
【請求項４】
前記腹部皮下脂肪厚は、超音波により測定する請求項１または２または３記載の方法。
【請求項５】
前記腹部皮下脂肪厚は、スキンホールドキャリパーにより測定する請求項１または２または３記載の方法。
【請求項６】
前記腹部内臓脂肪面積または腹部皮下脂肪面積を求めるのに、性別、年令、身長、体重、体格指数等の個人的パラメータに基づく補正を行う請求項１から５のうちのいずれか１つに記載の方法。
【請求項７】
人体の体脂肪分布を測定する装置において、腹部皮下脂肪厚を入力するための第１の入力手段と、前記第１の入力手段からのデータに基づいて腹部内臓脂肪面積を演算するための演算手段とを備えることを特徴とする装置。
【請求項８】
前記第１の入力手段は、超音波プローブを備える請求項７記載の装置。
【請求項９】
前記第１の入力手段は、スキンホールドキャリパーを備える請求項７記載の装置。
【請求項１０】
性別、年令、身長、体重、体格指数等の個人的パラメータを入力する第２の入力手段をさらに含む請求項７または８または９記載の装置。
【手続補正２】
【補正対象書類名】明細書
【補正対象項目名】０００７
【補正方法】変更
【補正の内容】
【０００７】
本発明の別の観点によれば、人体の体脂肪分布を測定する方法において、腹部皮下脂肪厚を測定し、該測定された腹部皮下脂肪厚から腹部総脂肪面積を求めることを特徴とする方法が提供される。
【手続補正書】
【提出日】平成17年7月1日(2005.7.1)
【手続補正１】
【補正対象書類名】明細書
【補正対象項目名】特許請求の範囲
【補正方法】変更
【補正の内容】
【特許請求の範囲】
【請求項１】
任意の1方向を上下方向として、
上下方向に離間して配置された1対の真空槽と、当該1対の真空槽の内部空間同士を上下に連結する管状の真空槽連結部と、
前記1対の真空槽内にそれぞれ配置された超電導特性を有する物質により構成した1対の磁場発生素子と、前記1対の真空槽内にそれぞれ配置された少なくとも1対の熱シールドと、当該1対の熱シールドを、前記真空槽連結部によって囲まれた空間を通って上下に連結する、管状の熱シールド連結部とを備えた磁石装置であって、
前記１対の真空槽および前記真空槽連結部は、高電気抵抗特性を有する素材を用いて形成されており、且つ、前記熱シールド連結部はその上下方向に連続して或いは間欠的に、高電気抵抗特性を呈するスリット部を有することを特徴とする磁石装置。
【請求項２】
任意の1方向を上下方向として、
上下方向に離間して配置された1対の真空槽と、当該1対の真空槽の内部空間同士を上下に連結する管状の真空槽連結部と、
前記1対の真空槽内にそれぞれ配置された超電導特性を有する物質により構成した1対の磁場発生素子と、前記1対の真空槽内にそれぞれ配置された少なくとも1対の熱シールドと、当該1対の熱シールドを、前記真空槽連結部によって囲まれた空間を通って上下に連結する、管状の熱シールド連結部とを備えた磁石装置であって、
前記１対の真空槽および前記真空槽連結部は、高電気抵抗特性を有する素材を用いて形成されており、且つ、前記熱シールドは、前記熱シールド連結部の内部空間へ通じる穴と、前記穴と対称な位置にある前記穴と同形状の領域に窪みとを有することを特徴とする磁石装置。
【請求項３】
任意の1方向を上下方向として、
上下方向に離間して配置された1対の真空槽と、当該1対の真空槽の内部空間同士を上下に連結する管状の真空槽連結部と、
前記1対の真空槽内にそれぞれ配置された超電導特性を有する物質により構成した1対の磁場発生素子とを有し、
前記真空槽連結部は、その上下方向に連続的或いは間欠的に形成されたスリット部と、このスリット部を覆い、前記真空槽連結部の真空を維持する部材とを有することを特徴とする磁石装置。
【請求項４】
任意の1方向を上下方向として、
上下方向に離間して配置された1対の真空槽と、当該1対の真空槽の内部空間同士を上下に連結する管状の真空槽連結部と、
前記1対の真空槽内にそれぞれ配置された超電導特性を有する物質により構成した1対の磁場発生素子とを有し、
前記真空槽は、前記真空槽連結部の内部空間へ通じる穴と、前記穴と対称な位置にある前記穴と同形状の領域に窪みを有することを特徴とする磁石装置。
【請求項５】
請求項１記載の磁石装置であって、
前記熱シールドは、前記熱シールド連結部の内部空間へ通じる穴と、前記穴と対称な位置にある前記穴と同形状の領域に窪みを有することを特徴とする磁石装置。
【請求項６】
請求項１〜５いずれか１項に記載の磁石装置を用いた磁気共鳴イメージング装置。
【請求項７】
任意の１方向を上下方向として、
上下方向に離間して配置された一対の静磁場発生用の磁石と、これら磁石を連結する支柱とを備えた磁石装置を有する磁気共鳴イメージング装置用において、
前記支柱はその上下方向に連続して或いは間欠的に、スリット部を有することを特徴とする磁気共鳴イメージング装置。
【請求項８】
前記支柱は中空状であることを特徴とする請求項７記載の磁気共鳴イメージング装置。
【請求項９】
前記磁石を覆うカバーを備え、前記カバーは前記支柱の内部空間へ通じる穴と、前記穴と対称な位置にある前記穴と同形状の領域に窪みとを有することを特徴とする請求項８記載の磁気共鳴イメージング装置。
【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
均一磁場領域を挟んで対向して配置された一対の超電導コイルと、前記超電導コイルによって発生する磁束を通すように配置された、一対の強磁性の磁束制御体群とを備え、前記磁束制御体群は複数の環状体の組み合せであり、かつ、それらの中心軸が、中心磁場に平行な磁場中心軸上に位置することを特徴とする均一磁場発生用マグネット装置。
【請求項２】
複数の磁束制御体の各断面形状が矩形であり、その軸方向の高さがほぼ同じで、径方向の幅あるいは隣り合う磁束制御体に対する径方向の隙間のうち両方または一方が異なることによって、径方向に粗密配置されている請求項１記載の均一磁場発生用マグネット装置。
【請求項３】
磁束制御体が、電磁鋼板などの薄板形状の強磁性体を螺旋状に巻くことにより矩形の断面を構成する請求項１記載の均一磁場発生用マグネット装置。
【請求項４】
磁束制御体の一部または全てが、超電導コイル冷却用の冷媒中にある請求項１ないし３のうちいずれか１項に記載の均一磁場発生用マグネット装置。
【請求項５】
磁束制御体の一部または全てが、超電導コイル冷却用の冷凍機と熱接続されている請求項１から３のうちいずれか１項に記載の均一磁場発生用マグネット装置。
【請求項６】
請求項１ないし５のうちいずれか１項に記載の均一磁場発生用マグネット装置を用いた磁気共鳴イメージング装置。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
治療及び／又は診断のための光源であって、
発光ダイオードの第一の剛性アレイと、
前記第一のアレイの端部に可動的に接続された発光ダイオードの第二の剛性アレイと、
前記第一のアレイの別の端部に可動的に接続された発光ダイオードの第三の剛性アレイと、を具備し、
前記アレイのそれぞれは、前記発光ダイオードからの光が治療領域に直接放射されるように配置され、かつ、前記ダイオードを強制空気対流によって冷却する手段を含む、光源。
【請求項２】
前記第一のアレイのさらに別の端部に可動的に接続された発光ダイオードの第四のアレイを含む、請求項１に記載の光源。
【請求項３】
顔及び／又は頭皮の治療用に配置された、請求項１又は２に記載の光源。
【請求項４】
前記アレイのそれぞれは、前記発光ダイオードからの光が、出力強度は少なくとも１０ｍＷ／ｃｍ２で、かつ、空間強度の変動は１０％以下で、前記治療領域に直接放射されるように配置されている、請求項１から３のいずれか１項に記載の光源。
【請求項５】
発光ダイオードからの光が、出力強度は少なくとも１０ｍＷ／ｃｍ２で、空間的強度変動は１０％以下で、前記治療領域に直接放射されるように配置された、発光ダイオードのアレイと、
前記ダイオードを強制空気対流によって冷却する手段と、を含む光源。
【請求項６】
前記治療領域は、前記発光ダイオードのアレイに略等しい広さを有する、請求項５に記載の光源。
【請求項７】
前記空間的強度変動は６％以下である、請求項５または６に記載の光源。
【請求項８】
前記発光ダイオードは、個別に取り付けられている、請求項１から７のいずれか１項に記載の光源。
【請求項９】
前記発光ダイオードは、並列マトリクス状に電気的に接続されている、請求項８に記載の光源。
【請求項１０】
前記発光ダイオードは、１つ以上のヒートシンクに熱的に結合されている、請求項１から９のいずれか１項に記載の光源。
【請求項１１】
前記ダイオードは、個別のヒートシンクのアレイに熱的に結合されている、請求項１０に記載の光源。
【請求項１２】
前記発光ダイオードおよびヒートシンクは、支持基板に取り付けられている、請求項１１に記載の光源。
【請求項１３】
前記発光ダイオードとヒートシンクとが、前記支持基板の反対側の面に取り付けられている、請求項１２に記載の光源。
【請求項１４】
前記支持基板は、空気が前記ヒートシンクおよび前記発光ダイオードの周囲を流れるように、穿孔されている、請求項１２または１３に記載の光源。
【請求項１５】
前記発光ダイオードからの光が、光学システムによって集光されない、請求項１から１４のいずれか１項に記載の光源。
【請求項１６】
前記発光ダイオードは、実質的に３７０ｎｍから４５０ｎｍの発光波長を有する、請求項１から１５のいずれか１項に記載の光源。
【請求項１７】
前記発光ダイオードは、実質的に４００ｎｍから４３０ｎｍの発光波長を有する、請求項１から１５のいずれか１項に記載の光源。
【請求項１８】
前記発光ダイオードは、実質的に５５０ｎｍから６６０ｎｍの発光波長を有する、請求項１から１５のいずれか１項に記載の光源。
【請求項１９】
前記発光ダイオードは、実質的に５９０ｎｍから６４０ｎｍの発光波長を有する、請求項１から１５のいずれか１項に記載の光源。
【請求項２０】
患者の美容治療のための、請求項１から１９のいずれか１項に記載の光源の使用。
【請求項２１】
前記治療が、皮膚の回復を含む、請求項２０に記載の使用。
【請求項２２】
前記治療が、しわの除去を含む、請求項２０に記載の使用。
【請求項２３】
前記治療が、生物的刺激を含む、請求項２０に記載の使用。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
外部から交流電源が供給されるターミナル基板と、
該ターミナル基板と接続され、該ターミナル基板から供給される交流電源から直流電源を生成して、電気的遊技装置が駆動制御される電気的制御装置に該直流電源を供給する電源供給装置と、を備える遊技機において、
前記ターミナル基板は、
前記交流電源を受電する電源受入手段と、
前記電源受入手段が受電した前記交流電源の２本の電源ラインを切断する電源スイッチと、
前記電源スイッチを介した前記交流電源を前記電源供給装置に供給する出力コネクタと、
前記電源受入手段と前記電源スイッチとの間の２本の前記電源ラインのうちの一方に挿入され、過剰な電流が流れると回路を切断するように動作する保護手段と、
前記保護手段と前記電源スイッチとの間に、前記２本の電源ラインを接続するように配置され、前記２本の電源ライン間に所定の電圧を超える電圧が加わると内部抵抗を低下させるサージアブソーバと、を備え、
前記電源スイッチを投入する前に前記電源受入手段に過電圧が印加されると、前記サージアブソーバが前記２本の電源ラインを短絡させることによって、前記保護手段が切断されることを特徴とする遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、過電圧による破損を防止するターミナル基板を備え、遊技店によって使いやすい遊技機を提供することを目的とする。


【手続補正４】
【補正対象書類名】明細書
【補正対象項目名】０００８
【補正方法】変更
【補正の内容】
【０００８】
【課題を解決するための手段】
本発明は、外部から交流電源が供給されるターミナル基板と、該ターミナル基板と接続され、該ターミナル基板から供給される交流電源から直流電源を生成して、電気的遊技装置が駆動制御される電気的制御装置に該直流電源を供給する電源供給装置と、を備える遊技機において、前記ターミナル基板は、前記交流電源を受電する電源受入手段と、前記電源受入手段が受電した前記交流電源の２本の電源ラインを切断する電源スイッチと、前記電源スイッチを介した前記交流電源を前記電源供給装置に供給する出力コネクタと、前記電源受入手段と前記電源スイッチとの間の２本の前記電源ラインのうちの一方に挿入され、過剰な電流が流れると回路を切断するように動作する保護手段と、前記保護手段と前記電源スイッチとの間に、前記２本の電源ラインを接続するように配置され、前記２本の電源ライン間に所定の電圧を超える電圧が加わると内部抵抗を低下させるサージアブソーバと、を備え、前記電源スイッチを投入する前に前記電源受入手段に過電圧が印加されると、前記サージアブソーバが前記２本の電源ラインを短絡させることによって、前記保護手段が切断されることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
【発明の作用および効果】
本発明では、電源スイッチを投入する前に電源受入手段に過電圧が印加されると、サージアブソーバが２本の電源ラインを短絡させることによって、保護手段が切断されるので、誤って遊技機に過電圧（例えば、ＡＣ１００Ｖ）が加わっても、電源供給装置及びこれに接続される電気的遊技装置、電気的制御装置の破壊を防止することができる。


【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】電子素子封入容器
【手続補正２】
【補正対象書類名】明細書
【補正対象項目名】特許請求の範囲
【補正方法】変更
【補正の内容】
【特許請求の範囲】
【請求項１】  電子素子を配置したベースにキャップを圧入嵌合して気密封止した封入容器において、前記キャップは切り口形状が略楕円形の開口を有し、前記ベースは、前記キャップの圧入方向に末広がりである電子素子封入容器。
【請求項２】  電子素子を配置したベースにキャップを圧入嵌合して気密封止した封入容器において、前記キャップは切り口形状が略楕円形の開口を有し、前記キャップと前記ベースとの圧入代は、前記開口の長軸側が短軸側より小さい電子素子封入容器。
【請求項３】  電子素子を配置したベースにキャップを圧入嵌合して気密封止した封入容器において、前記キャップは切り口形状が略楕円形の開口を有し、前記キャップと前記ベースとの圧入代は、前記開口の長軸側が短軸側より小さく、前記ベースは、前記開口の短軸側嵌合部においてのみ前記キャップの圧入方向に末広がりである電子素子封入容器。
【請求項４】  前記ベースはセラミック材料からなる請求項１乃至３のいずれか一つに記載の電子素子封入容器。
【請求項５】  前記キャップは金属材料からなり、接地電極を介して接地することができる請求項１乃至３のいずれか一つに記載の電子素子封入容器。
【請求項６】  前記キャップはガラス材料からなる請求項１乃至３のいずれか一つに記載の電子素子封入容器。
【手続補正３】
【補正対象書類名】明細書
【補正対象項目名】００１４
【補正方法】削除
【補正の内容】
【手続補正４】
【補正対象書類名】明細書
【補正対象項目名】００５３
【補正方法】削除
【補正の内容】
【手続補正５】
【補正対象書類名】明細書
【補正対象項目名】００５４
【補正方法】削除
【補正の内容】
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  コイルボビンと一対のコアを備え、そのコアの磁路に空隙を設けるためのギャップスペーサを有するトランスにおいて、
前記ギャップスペーサは、前記コアの外脚部の接合面を被覆するギャップ形成部と、このギャップ形成部と直角をなし、前記外脚部の外方露出面を被覆する外方露出部とを有することを特徴とするトランス。
【請求項２】  請求項１記載のトランスにおいて、前記コアがＥ型コアを備え、前記ギャップスペーサは、前記Ｅ型コアの両外脚部の接合面を被覆する一対のギャップ形成部と、このギャップ形成部と直角をなし、前記両外脚部の外方露出面を被覆する一対の外方露出部と、その一対の外方露出部のギャップ形成部側の端部と反対側の端部どうしを連結する連結部とを有することを特徴とするトランス。
【請求項３】  請求項１または請求項２記載のトランスにおいて、前記ギャップスペーサの下方部が前記コイルボビンと前記コアの隙間に位置して、この部分に含浸剤溜まり部が形成されて、その含浸剤溜まり部に含浸剤を含浸したことを特徴とするトランス。
【手続補正２】
【補正対象書類名】明細書
【補正対象項目名】０００９
【補正方法】変更
【補正の内容】
【０００９】
本発明は、作業性に優れたトランスを提供することを目的とするものである。
【手続補正３】
【補正対象書類名】明細書
【補正対象項目名】００１０
【補正方法】変更
【補正の内容】
【００１０】
【課題を解決するための手段】
上記目的を達成するために、第1の手段は、コイルボビンと一対のコアを備え、そのコアの磁路に空隙を設けるためのギャップスペーサを有するトランスにおいて、
前記ギャップスペーサは、前記コアの外脚部の接合面を被覆するギャップ形成部と、このギャップ形成部と直角をなし、前記外脚部の外方露出面を被覆する外方露出部とを有することを特徴とするものである。
【手続補正４】
【補正対象書類名】明細書
【補正対象項目名】００１１
【補正方法】変更
【補正の内容】
【００１１】
また上記目的を達成するために、第２の手段は、第１の手段において、前記コアがＥ型コアを備え、前記ギャップスペーサは、前記Ｅ型コアの両外脚部の接合面を被覆する一対のギャップ形成部と、このギャップ形成部と直角をなし、前記両外脚部の外方露出面を被覆する一対の外方露出部と、その一対の外方露出部のギャップ形成部側の端部と反対側の端部どうしを連結する連結部とを有することを特徴とするものである。
第３の手段は、第１の手段または第２の手段において、ギャップスペーサの下方部がコイルボビンとコアの隙間に位置して、この部分に含浸剤溜まり部が形成されて、その含浸剤溜まり部に含浸剤を含浸したことを特徴とするものである。
【手続補正５】
【補正対象書類名】明細書
【補正対象項目名】００１２
【補正方法】変更
【補正の内容】
【００１２】
第1の手段では、ギャップスペーサのギャップ形成部を、一方のコアの外脚部の接合面と、他方のコアの外脚部の接合面との間で挟み込むことで、コアの磁路に空隙を確保しつつ、ギャップスペーサの外方露出部によりギャップスペーサの存在が外部から確認される。また、ギャップスペーサはギャップ形成部のみならず、これと直角な外方露出部を有しているので、従来のものに比べて抜け落ち難い。
【手続補正６】
【補正対象書類名】明細書
【補正対象項目名】００１４
【補正方法】変更
【補正の内容】
【００１４】
また、第３の手段では、ギャップスペーサの下方部がコイルボビンとコアの隙間に位置して、この部分に含浸剤溜まり部が形成されて、その含浸剤溜まり部に含浸剤を含浸させるので、コイルボビンとＥ型コアの固定は容易なものとなる。
【手続補正７】
【補正対象書類名】明細書
【補正対象項目名】００２１
【補正方法】変更
【補正の内容】
【００２１】
図３に示すように、ギャップスペーサ１１の外方露出部１１ｂの下方部（及び連結部１１ｃ）は、コイルボビン１とＥ型コア２の隙間に位置しているので、この部分にワニス含浸剤溜まり部１２が形成される。従って、この溜まり部１２にワニスを含浸させるだけで、専用の接着剤や固定用スペーサを設けることなく、コイルボビン１とＥ型コア２間の遊びを容易にかつ安定して抑制することができる。
本実施形態によれば、ギャップスペーサのギャップ形成部を、一方のコアの外脚部の接合面と、他方のコアの外脚部の接合面との間で挟み込むことで、コアの磁路に空隙を確保しつつ、ギャップスペーサの外方露出部によりギャップスペーサの存在が外部から確認される。また、ギャップスペーサはギャップ形成部のみならず、これと直角な外方露出部を有しているので、従来のものに比べて抜け落ち難いという効果もある。
また本実施形態によれば、さらにギャップスペーサは、ギャップ形成部と外方露出部が全体として一体化されているので、作業性に優れ、取り扱いも容易なものとすることができる。
さらに本実施形態によれば、ギャップスペーサの下方部がコイルボビンとコアの隙間に位置して、この部分に含浸剤溜まり部が形成されて、その含浸剤溜まり部に含浸剤を含浸させるので、コイルボビンとＥ型コアの固定は容易なものとなる。
【手続補正８】
【補正対象書類名】明細書
【補正対象項目名】００２２
【補正方法】変更
【補正の内容】
【００２２】
【発明の効果】
本発明によれば、作業性に優れたトランスを提供することが可能になる。